【手続補正書】
【提出日】平成19年3月13日(2007.3.13)
【手続補正１】
【補正対象書類名】明細書
【補正対象項目名】特許請求の範囲
【補正方法】変更
【補正の内容】
【特許請求の範囲】
【請求項１】  通信システムのためのUPSシステムであって、
プライマリー及びスタンバイのACパワー信号を生成する入力段と、
前記プライマリー及びスタンバイのACパワー信号に動作的に接続される絶縁変圧器と、
前記プライマリー及びスタンバイのACパワー信号に基いて出力DCパワー信号を生成するための、前記絶縁変圧器に動作的に接続された出力整流器と、
複数の出力インバータであって、当該出力インバータのそれぞれは、前記出力DCパワー信号に基いてACパワー信号を生成するような複数の出力インバータと、
前記出力インバータと前記通信システムの１つ又はそれ以上の負荷の間に配置されたスイッチアレイであって、前記出力インバータのそれぞれと、それに関連する前記負荷との間に配置されたプライマリースイッチ、及び前記出力インバータに関連する前記負荷の内の２つの間に配置された少なくとも１つのセカンダリースイッチを含むようなスイッチアレイと、
１つ又はそれ以上の前記出力ACパワー信号を、前記通信システムの１つ又はそれ以上の負荷に接続するために前記プライマリースイッチ及びセカンダリースイッチを制御するスイッチ制御手段と、を有することを特徴とするUPSシステム。
【請求項２】  請求項１に記載のUPSシステムにおいて、
前記入力段は、
商用パワー信号から入力DCパワー信号を生成するための入力整流器と、
前記入力DCパワー信号から前記プライマリーACパワー信号を生成する入力インバータと、
バッテリから前記スタンバイACパワー信号を生成するバッテリインバータと、を有することを特徴とするUPSシステム。
【請求項３】  請求項２に記載のUPSシステムにおいて、
前記入力DCパワー信号に基いて前記バッテリを充電するためのバッテリチャージャを更に含むことを特徴とするUPSシステム。
【請求項４】  複数の負荷を含む通信システムのためのUPSシステムであって、
プライマリー及びスタンバイのACパワー信号を生成する入力段と、
前記プライマリー及びスタンバイのACパワー信号を受け取るように動作的に接続された絶縁変圧器と、
前記プライマリー及びスタンバイのACパワー信号に基いて出力DCパワー信号を生成するための、前記絶縁変圧器に動作的に接続された出力整流器と、
複数の出力インバータであって、当該出力インバータのそれぞれは、前記出力DCパワー信号に基いて、それに接続された前記負荷のためにACパワー信号を生成するような複数の出力インバータと、
前記出力インバータと前記通信システムの前記負荷の間に配置されたスイッチアレイであって、前記出力インバータのそれぞれと、それに関連する前記負荷との間に配置されたプライマリースイッチ、及び前記出力インバータに関連する前記負荷の内の２つの間に配置された少なくとも１つのセカンダリースイッチを含むようなスイッチアレイと、
１つ又はそれ以上の前記出力ACパワー信号を、前記通信システムの１つ又はそれ以上の負荷に接続するために前記スイッチを制御するスイッチ制御手段と、を有することを特徴とするUPSシステム。
【請求項５】  請求項４に記載のUPSシステムにおいて、
前記入力段は、
商用パワー信号から入力DCパワー信号を生成するための入力整流器と、
前記入力DCパワー信号から前記プライマリーACパワー信号を生成する入力インバータと、
バッテリから前記スタンバイACパワー信号を生成するバッテリインバータと、を有することを特徴とするUPSシステム。
【請求項６】  請求項５に記載のUPSシステムにおいて、
前記入力DCパワー信号に基いて前記バッテリを充電するためのバッテリチャージャを更に有することを特徴とするUPSシステム。
【請求項７】  ACパワーを通信システムに供給する方法であって、
プライマリー及びスタンバイのACパワー信号を生成するステップと、
前記プライマリー及びスタンバイのACパワー信号を絶縁変圧器を通過させるステップと、
前記プライマリー及びスタンバイのACパワー信号に基いて出力DCパワー信号を生成するステップと、
複数の出力インバータであって、当該出力インバータのそれぞれは、前記出力DCパワー信号に基いてACパワー信号を生成するような複数の出力インバータを提供するステップと、
前記出力インバータと前記通信システムの１つ又はそれ以上の負荷との間にスイッチアレイを配置するステップであって、前記スイッチアレイは、前記出力インバータのそれぞれと、それに関連する前記負荷との間に配置されたプライマリースイッチ、及び前記出力インバータに関連する前記負荷の内の２つの間に配置された少なくとも１つのセカンダリースイッチを含むものであるようなステップと、
１つ又はそれ以上の前記出力ACパワー信号を、前記通信システムの１つ又はそれ以上の負荷に接続するために前記プライマリースイッチ及びセカンダリースイッチを制御するステップと、を有することを特徴とする方法。
【請求項８】  請求項７に記載の方法において、
前記プライマリー及びスタンバイのACパワー信号を生成するステップは、
商用パワー信号から入力DCパワー信号を生成するステップと、
前記入力DCパワー信号から前記プライマリーACパワー信号を生成するステップと、
バッテリから前記スタンバイACパワー信号を生成するステップと、を有することを特徴とする方法。
【請求項９】  請求項８に記載の方法において、
前記入力DCパワー信号に基いて前記バッテリを充電するステップを更に有することを特徴とする方法。
【請求項１０】  商用パワー信号のソースと少なくとも１つの負荷との間に動作的に接続された、通信ネットワークで使用するための無停電パワー信号を生成するためのシステムであって、
前記商用パワー信号の前記ソースに接続された入力ターミナルと、
少なくとも１つの負荷に接続された出力ターミナルと、
第１、第２、及び第３の巻線を含む変圧器と、
入力DCバスと、
出力DCバスと、
バッテリと、
前記入力ターミナルと前記第１のDCバスとの間に動作的に接続された入力整流器であって、当該入力整流器は、前記商用パワー信号に基いて、前記第１のDCバス上に第１のDCパワー信号を生成するような入力整流器と、
前記第１のDCバスと前記バッテリとの間に動作的に接続された、当該バッテリを充電するためのバッテリチャージャと、
前記第１のDCバスと、前記変圧器の前記第１の巻線との間に動作的に接続された、当該第１の巻線の両端間にかかるプライマリーACパワー信号を生成するための第１のインバータと、
前記バッテリと、前記変圧器の前記第２の巻線との間に動作的に接続された、当該第２の巻線の両端間にかかるスタンバイACパワー信号を生成するための第２のインバータと、
前記変圧器の前記第３の巻線と、前記第２のDCバスとの間に動作的に接続された、前記プライマリーACパワー信号及び前記スタンバイACパワー信号の内の少なくとも１つに基いて、前記第２のDCバス上に出力DCパワー信号を生成するための出力整流器と、
前記第２のDCバスと前記出力ターミナルとの間に動作的に接続された複数の出力インバータであって、それぞれの出力インバータは、前記の少なくとも１つの負荷にエネルギーを与える出力ACパワー信号を生成するような複数の出力インバータと、
前記出力インバータと前記出力ターミナルとの間に動作的に接続されたスイッチアレイであって、前記出力インバータのそれぞれと、それに関連する前記負荷との間に配置されたプライマリースイッチ、及び前記出力インバータに関連する前記負荷の内の２つの間に配置された少なくとも１つのセカンダリースイッチを含むようなスイッチアレイと、
前記複数の出力インバータの内の選択された１つを前記少なくとも１つの負荷に接続するために前記スイッチアレイを制御するための制御回路と、
を有することを特徴とするシステム。
【請求項１１】  請求項１０に記載のシステムにおいて、
負荷が前記複数の出力インバータのそれぞれに接続されることを特徴とするシステム。
【請求項１２】  請求項１０に記載のシステムにおいて、
負荷が前記複数の出力インバータのそれぞれに接続されることを特徴とするシステム。
【請求項１３】  請求項１２に記載のシステムにおいて、
前記制御回路は、第１の状態では前記出力インバータのそれぞれを単一の負荷に接続し、及び、第２の状態では複数の負荷を単一の出力インバータに接続するように前記スイッチアレイを制御することを特徴とするシステム。
【請求項１４】  請求項１０に記載のシステムにおいて、
負荷が前記複数の出力インバータのそれぞれに関連づけられ、
前記スイッチアレイは、
負荷の間に動作的に接続されたセカンダリースイッチ、及び、前記出力インバータのそれぞれと、それに関連する前記負荷との間に動作的に接続されたプライマリースイッチを含み、
前記制御回路は、前記セカンダリースイッチが開き、かつ、前記プライマリースイッチが閉じる第１のモードと、前記セカンダリースイッチが閉じ、かつ、前記プライマリースイッチの内の１つが開く第２のモードとで動作すること、を特徴とするシステム。
【請求項１５】  請求項１０に記載のシステムにおいて、
前記出力インバータのそれぞれと、前記少なくとも１つの負荷との間に動作的に接続されたフィルタ回路を更に有することを特徴とするシステム。